(57)【特許請求の範囲】
【請求項１】
本体の背面及び天面の一部を構成する基台と、
前記基台の左右の少なくとも一方に着脱自在に取り付けられ、前記本体の天面の一部、及び、側面を構成する意匠パネルと、を備え、
前記基台は、
前記基台の天面と側面とを接続する第１角部と、前記基台の天面に形成された段部と、を有し、
前記意匠パネルは、
前記意匠パネルの天面と側面とを接続する第２角部と、前記意匠パネルの天面に形成された切欠部と、を有し、
前記意匠パネルが前記基台に取り付けられると、
前記切欠部を介して前記段部の天面部が露出して、前記天面部及び前記意匠パネルにより前記本体の天面が構成され、
前記第２角部が前記第１角部を覆って、前記意匠パネルにより前記本体の側面が構成され、
前記段部は、
前記第１角部の端部を外側に突出させた壁部と、
前記壁部から連続して前記基台の左右方向中央側に延設された前記天面部と、を有し、
前記意匠パネルが前記基台に取り付けられると、
前記天面部と前記意匠パネルとによって、前記本体の天面が平坦になる
空気調和機の室内ユニット。
【請求項２】
前記第２角部は、
前記第１角部の角度又は曲率と同じであることを下限値として、前記第１角部の外周側と前記第２角部の内周側との間に許容可能なスペースが形成される範囲で、変更可能になっている
請求項１に記載の空気調和機の室内ユニット。
【請求項３】
前記意匠パネルは、
形状の異なる複数の中から選択可能に構成されている
請求項１又は２に記載の空気調和機の室内ユニット。
【請求項４】
請求項１〜３のいずれか一項に記載の室内ユニットと、
前記室内ユニットに接続された室外ユニットと、を備えた
空気調和機。
【発明の詳細な説明】
【技術分野】
【０００１】
本発明は、本体の背面を構成する基台を備えた空気調和機の室内ユニット、及び、この室内ユニットを備えた空気調和機に関するものである。
【背景技術】
【０００２】
空気調和機の室内ユニットは、設置される場所に対応してフロントパネルを選択する場合がある。そのようなものとして、本体の構造を変更することなく、デザインの異なるフロントパネルを取り付け可能にして、多様なシリーズデザインに対応しうるようにした空気調和機の室内ユニットが提案されている（例えば、特許文献１参照）。
【先行技術文献】
【特許文献】
【０００３】
【特許文献１】特開２０１０−１６９３５５号公報
【発明の概要】
【発明が解決しようとする課題】
【０００４】
特許文献１に記載の空気調和機の室内ユニットは、本体の前面に取り付けられるフロントパネルの変更のみに対応したものであり、本体の形状のバリエーションに対応したものではなかった。
そのため、本体の側面を含めた本体の意匠性、本体の形状のバリエーションに対しては、改善の余地がある。【０００５】
本発明は、上記のように課題を解決するためになされたもので、側面を含めた本体の意匠性を向上させた空気調和機の室内ユニット及び空気調和機を提供することを目的としている。
【課題を解決するための手段】
【０００６】
本発明に係る空気調和機の室内ユニットは、本体の背面及び天面の一部を構成する基台と、前記基台の左右の少なくとも一方に着脱自在に取り付けられ、前記本体の天面の一部、及び、側面を構成する意匠パネルと、を備え、前記基台は、前記基台の天面と側面とを接続する第１角部と、前記基台の天面に形成された段部と、を有し、前記意匠パネルは、前記意匠パネルの天面と側面とを接続する第２角部と、前記意匠パネルの天面に形成された切欠部と、を有し、前記意匠パネルが前記基台に取り付けられると、前記切欠部を介して前記段部の天面部が露出して、前記天面部及び前記意匠パネルにより前記本体の天面が構成され、前記第２角部が前記第１角部を覆って、前記意匠パネルにより前記本体の側面が構成され、前記段部は、前記第１角部の端部を外側に突出させた壁部と、前記壁部から連続して前記基台の左右方向中央側に延設された前記天面部と、を有し、前記意匠パネルが前記基台に取り付けられると、前記天面部と前記意匠パネルとによって、前記本体の天面が平坦になるものである。
【発明の効果】
【０００７】
本発明に係る空気調和機の室内ユニットによれば、本体の側面が１つの意匠パネルで構成されることになるため、意匠性が向上する。
【図面の簡単な説明】
【０００８】
【図１】本発明の実施の形態に係る空気調和機の冷媒回路構成の一例を示す概略構成図である。
【図２】本発明の実施の形態に係る空気調和機の室内ユニットの全体構成の一例を概略的に示す斜視図である。
【図３】本発明の実施の形態に係る空気調和機の室内ユニットを分解した状態を概略的に示す分解斜視図である。
【図４】本発明の実施の形態に係る空気調和機の室内ユニットを前面側と背面側とに分解した状態を概略的に示す分解斜視図である。
【図５】本発明の実施の形態に係る空気調和機の室内ユニットを側面から見た内部構成を概略示す側面図である。
【図６】本発明の実施の形態に係る空気調和機の室内ユニットの基台から意匠パネルを取り外した状態を示した概略斜視図である。
【図７】本発明の実施の形態に係る空気調和機の室内ユニットの基台から意匠パネルを取り外した状態を拡大して示した概略斜視図である。
【図８】本発明の実施の形態に係る空気調和機の室内ユニットの基台に意匠パネルを取り付けた状態を拡大して示した概略断面図である。
【図９】本発明の実施の形態に係る空気調和機の室内ユニットの基台に取り付けられる意匠パネルのバリエーションの１つを概略的に示した断面図である。
【図１０】本発明の実施の形態に係る空気調和機の室内ユニットの基台に取り付けられる意匠パネルのバリエーションの他の１つを概略的に示した断面図である。
【図１１】本発明の実施の形態に係る空気調和機の室内ユニットの基台に取り付けられる意匠パネルのバリエーションの更に他の１つを概略的に示した断面図である。
【図１２】本発明の実施の形態に係る空気調和機の室内ユニットの基台と意匠パネルの天面部における取り付け状態の一例を概略的に示す断面図である。
【図１３】本発明の実施の形態に係る空気調和機の室内ユニットの基台と意匠パネルの下面部における取り付け状態の一例を概略的に示す断面図である。
【発明を実施するための形態】
【０００９】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態．
図１は、本発明の実施の形態に係る空気調和機Ａの冷媒回路構成の一例を示す概略構成図である。なお、図１では、冷房運転時の冷媒の流れを実線矢印で示し、暖房運転時の冷媒の流れを破線矢印で示している。
【００１１】
＜空気調和機Ａの構成＞
図１に示すように、空気調和機Ａは、室内ユニット１００と、室外ユニット５０と、を備えている。
室内ユニット１００は、室内熱交換器２と、室内送風ファン３とを備えている。
室外ユニット５０は、室外熱交換器５３と、室外送風機５５と、圧縮機５１と、四方切換弁５２と、膨張弁５４とを備えている。
そして、室内ユニット１００と室外ユニット５０とは、ガス側連絡配管５６及び液側連絡配管５７により互いに接続されており、これにより冷媒回路６０が構成されている。
【００１２】
空気調和機Ａでは、四方切換弁５２の経路を切り換えることにより、冷房運転と暖房運転とを切り換えることができる。図１において実線で示される四方切換弁５２の経路の場合、空気調和機Ａは冷房運転を行う。一方、図１において破線で示される四方切換弁５２の経路の場合、空気調和機Ａは暖房運転を行う。
【００１３】
（室内ユニット１００）
室内ユニット１００は、空調対象空間に冷熱又は温熱を供給する空間（例えば、屋内等の空調対象空間、又は、ダクトなど介して空調対象空間と接続された別の空間）に設置され、室外ユニット５０から供給される冷熱又は温熱により空調対象空間を冷却又は加温する機能を有する。
【００１４】
室内熱交換器２は、暖房運転時には凝縮器として機能し、冷房運転時には蒸発器として機能するものである。室内熱交換器２は、例えば、フィン・アンド・チューブ型熱交換器で構成することができる。
室内送風ファン３は、室内熱交換器２に囲まれるように配置されており、室内熱交換器２に熱交換流体である空気を供給するものである。
【００１５】
（室外ユニット５０）
室外ユニット５０は、空調対象空間とは別空間（例えば屋外）に設置され、室内ユニット１００に冷熱又は温熱を供給する機能を有する。
【００１６】
室外熱交換器５３は、暖房運転時には蒸発器として機能し、冷房運転時には凝縮器として機能するものである。
室外送風機５５は、室外熱交換器５３に熱交換流体である空気を供給するものである。室外送風機５５は、例えば複数の翼を有するプロペラファンで構成することができる。
【００１７】
圧縮機５１は、冷媒を圧縮して吐出するものである。圧縮機５１は、例えば、ロータリ圧縮機、スクロール圧縮機等で構成することができる。室外熱交換器５３が凝縮器として機能する場合、圧縮機５１から吐出された冷媒は、冷媒配管を通り、室外熱交換器５３へ送られる。室外熱交換器５３が蒸発器として機能する場合、圧縮機５１から吐出された冷媒は、冷媒配管を通り、室内ユニット１００を経由した後に、室外熱交換器５３へ送られる。
【００１８】
四方切換弁５２は、圧縮機５１の吐出側に設けられ、暖房運転と冷房運転とにおいて冷媒の流れを切り替えるものである。なお、冷媒を一方方向に循環させる場合には、四方切換弁５２は必須の構成ではない。また、四方切換弁５２の代用として、二方弁又は三方弁を組み合わせたものを用いてもよい。
【００１９】
膨張弁５４は、室内熱交換器２又は室外熱交換器５３を経由した冷媒を膨張させて減圧するものである。膨張弁５４は、例えば冷媒の流量を調整可能な電動膨張弁等で構成するとよい。なお、膨張弁５４を、室外ユニット５０ではなく、室内ユニット１００に配置してもよい。
【００２０】
空気調和機Ａは、圧縮機５１、室内熱交換器２、膨張弁５４、室外熱交換器５３が、ガス側連絡配管５６及び液側連絡配管５７を含んだ冷媒配管によって接続され、冷媒回路６０が形成される。
【００２１】
＜空気調和機Ａの動作＞
次に、空気調和機Ａの動作について、冷媒の流れとともに説明する。まず、空気調和機Ａが実行する冷房運転について説明する。なお、冷房運転時の冷媒の流れは、図１の実線矢印で示している。ここでは、熱交換流体が空気であり、被熱交換流体が冷媒である場合を例に、空気調和機Ａの動作について説明する。
【００２２】
圧縮機５１を駆動させることによって、圧縮機５１から高温高圧のガス状態の冷媒が吐出する。以下、実線矢印にしたがって冷媒が流れる。圧縮機５１から吐出した高温高圧のガス冷媒（単相）は、四方切換弁５２を介して凝縮器として機能する室外熱交換器５３に流れ込む。室外熱交換器５３では、流れ込んだ高温高圧のガス冷媒と、室外送風機５５によって供給される空気との間で熱交換が行われて、高温高圧のガス冷媒は、凝縮して高圧の液冷媒（単相）になる。
【００２３】
室外熱交換器５３から送り出された高圧の液冷媒は、膨張弁５４によって、低圧のガス冷媒と液冷媒との二相状態の冷媒になる。二相状態の冷媒は、蒸発器として機能する室内熱交換器２に流れ込む。室内熱交換器２では、流れ込んだ二相状態の冷媒と、室内送風ファン３によって供給される空気との間で熱交換が行われて、二相状態の冷媒のうち液冷媒が蒸発して低圧のガス冷媒（単相）になる。この熱交換によって、室内が冷却されることになる。室内熱交換器２から送り出された低圧のガス冷媒は、四方切換弁５２を介して圧縮機５１に流れ込み、圧縮されて高温高圧のガス冷媒となって、再び圧縮機５１から吐出する。以下、このサイクルが繰り返される。
【００２４】
次に、空気調和機Ａが実行する暖房運転について説明する。なお、暖房運転時の冷媒の流れは、図１に破線矢印で示している。
【００２５】
圧縮機５１を駆動させることによって、圧縮機５１から高温高圧のガス状態の冷媒が吐出する。以下、破線矢印にしたがって冷媒が流れる。圧縮機５１から吐出した高温高圧のガス冷媒（単相）は、四方切換弁５２を介して凝縮器として機能する室内熱交換器２に流れ込む。室内熱交換器２では、流れ込んだ高温高圧のガス冷媒と、室内送風ファン３によって供給される空気との間で熱交換が行われて、高温高圧のガス冷媒は、凝縮して高圧の液冷媒（単相）になる。この熱交換によって、室内が暖房されることになる。
【００２６】
室内熱交換器２から送り出された高圧の液冷媒は、膨張弁５４によって、低圧のガス冷媒と液冷媒との二相状態の冷媒になる。二相状態の冷媒は、蒸発器として機能する室外熱交換器５３に流れ込む。室外熱交換器５３では、流れ込んだ二相状態の冷媒と、室外送風機５５によって供給される空気との間で熱交換が行われて、二相状態の冷媒のうち液冷媒が蒸発して低圧のガス冷媒（単相）になる。室外熱交換器５３から送り出された低圧のガス冷媒は、四方切換弁５２を介して圧縮機５１に流れ込み、圧縮されて高温高圧のガス冷媒となって、再び圧縮機５１から吐出する。以下、このサイクルが繰り返される。
【００２７】
＜本発明の実施の形態に係る室内ユニットの詳細＞
次に、本発明の実施の形態に係る室内ユニット１００について詳細に説明する。図２は、室内ユニット１００の全体構成の一例を概略的に示す斜視図である。図３は、室内ユニット１００を分解した状態を概略的に示す分解斜視図である。図４は、室内ユニット１００を前面側と背面側とに分解した状態を概略的に示す分解斜視図である。図５は、室内ユニット１００を側面から見た内部構成を概略示す側面図である。図１〜図５に基づいて、室内ユニット１００について具体的に説明する。
【００２８】
（室内ユニット１００の構成）
室内ユニット１００は、空調対象空間である例えば居室に設置される。居室は、一般的に天井と壁面で囲まれた空間を有している。そして、室内ユニット１００は、壁面に背面が固定され、天面が天井に近接した状態で取り付けられるようになっている。
なお、室内ユニット１００の壁面側にある面を背面とし、その対面を前面とし、天井側にある面を天面とし、天面の対面を下面とし、図２の右側の側面を右側面とし、右側面の対面を左側面として以下説明する。また、室内ユニット１００の内部部品についても同様の位置関係に基づいて説明する。
【００２９】
図２に示すように、室内ユニット１００は、横長の直方体状に形成された本体２０を有する。ただし、本体２０の形状を横長の直方体状に限定するものではない。
室内ユニット１００を分解すると、図３に示すように、基台１、意匠パネル６、室内熱交換器２、ドレンパン１０、フィルターユニット４、フロントパネル７に分けることができる。
そして、本体２０は、図４に示すように、背面及び天面の一部を構成する基台１、天面の一部、下面の一部及び左右側面を構成する意匠パネル６、及び、前面を構成する開閉可能なフロントパネル７が組み合わされることで、内部空間を有する直方体状に形成される。
なお、室内熱交換器２、室内送風ファン３、フィルターユニット４、ドレンパン１０、及び、図示省略の電気品箱は、基台１に装着される。
【００３０】
基台１は、空調対象空間である例えば居室の壁面に取り付けられる。
意匠パネル６は、基台１の左右側に着脱自在に取り付けられる。基台１に取り付けられた意匠パネル６は、ネジなどの締結部材を用いて基台１に固定される。なお、意匠パネル６の基台１への取り付けについては、図１２及び図１３で説明する。
フロントパネル７は、図４に示すように、意匠パネル６に開閉自在、着脱自在に取り付けられる。
【００３１】
図５に示すように、本体２０の内部には、室内熱交換器２、室内送風ファン３、フィルターユニット４、ドレンパン１０、及び、図示省略の電気品箱が収納される。
【００３２】
室内熱交換器２は、基台１の前面側であって室内送風ファン３の周囲に配置され、冷媒回路６０を循環する冷媒と室内送風ファン３によって供給される室内空気とで熱交換が実行されるものである。
室内送風ファン３は、基台１の前面側であって室内熱交換器２に囲まれるように配置され、図示省略のモータの駆動によって空気の流れを生じさせるものである。なお、室内送風ファン３の下方には上下風向調整板８が開閉可能に設置される。上下風向調整板８が開放されることで、本体２０の上下風向調整板８で覆われている部分が開口され、吹出口５となる。
【００３３】
フィルターユニット４は、本体２０の天面側及び前面側に取り付けられ、吸込口９から流入した空気の中に含まれる塵埃を捕集するためのフィルター４ａが着脱自在に取り付けられるものである。フィルターユニット４の天面に位置する部分には吸込口９となる格子状の開口部が形成されている。なお、図３では、本体２０の天面側及び前面側に取り付けられる部分が一体となったフィルターユニット４を例に図示しているが、天面側に取り付けられる部分と、前面側に取り付けられる部分と、を分けて本体２０に設置されるようにしてもよい。
【００３４】
電気品箱は、基台１の前面側に取り付けられ、制御基板などの電気部品が収納されるものである。制御基板は、室外ユニット５０に搭載されている制御装置と通信可能になっている。制御基板は、リモコンなどを介してユーザー指示を受け付ける機能を有する。制御基板を受け付けた指示を室外ユニット５０の制御装置に送信する。そして、制御基板は、室外ユニット５０の制御装置から送られる制御信号に基づいて、室内送風ファン３等の制御を行う。なお、制御基板は、その機能を実現する回路デバイスのようなハードウェアで構成することもできるし、マイコンまたはＣＰＵのような演算装置と、その上で実行されるソフトウェアとにより構成することもできる。
【００３５】
なお、本体２０が組み立てられると、本体２０の内部に吸込口９と吹出口５とが連通する風路１５が形成される。
また、室内熱交換器２の下方には、発生した結露水を受けるためのドレンパン１０が設置されている。
【００３６】
（室内ユニット１００の動作）
室内送風ファン３が駆動すると、吸込口９から本体２０の内部に室内空気が吸い込まれる。吸込口９から吸いこまれた室内空気は、室内熱交換器２を通過する際に室内熱交換器２の内部を流れる冷媒と熱交換される。そして、冷房運転であれば冷やされ、暖房運転であれば温められて、室内送風ファン３に至る。室内送風ファン３を通過した空気は、上下風向調整板８を備える吹出口５から前方もしくは下方に向かって空調対象空間に吹き出される。
【００３７】
上下風向調整板８は、吹出口５の長手方向（左右方向）に沿って伸びており、回動することで吹出口５から吹き出される空気の上下方向における風向を変更するとともに、吹出口５の開閉を行う。
【００３８】
（基台１と意匠パネル６）
図６は、室内ユニット１００の基台１から意匠パネル６を取り外した状態を示した概略斜視図である。図７は、室内ユニット１００の基台１から意匠パネル６を取り外した状態を拡大して示した概略斜視図である。図８は、室内ユニット１００の基台１に意匠パネル６を取り付けた状態を拡大して示した概略断面図である。図６〜図８に基づいて、基台１と意匠パネル６について詳しく説明する。
【００３９】
なお、図７は、基台１及び意匠パネル６の右側上部の部分を拡大して図示している。また、図８は、基台１に意匠パネル６を取り付けた状態における右側の縦断面構成を概略的に示している。ここでは、図面に図示した室内ユニット１００の右側を例に説明するが、左側も同様の構成になっている。ただし、室内ユニット１００の左右双方に以下で説明する構成を設ける必要はなく、少なくも左右の一方側に以下で説明する構成が設置されればよい。
【００４０】
図７に示すように、基台１の天面側の一部には段部１ａが形成されている。具体的には、段部１ａは、基台１の角部１ｂの天面側に位置する端部を外周方向に突出させ、幅方向に延設されて形成されている。段部１ａは、外周方向に突出させた部分である壁部１ａ−１と、壁部１ａ−１から連続して幅方向に延設され、本体２０の天面の一部を構成する天面部１ａ−２と、を有する。壁部１ａ−１の高さは、図８に示すように、意匠パネル６の厚み程度となっている。
【００４１】
また、図７に示すように、意匠パネル６には切欠部６ａが形成されている。具体的には、切欠部６ａは、意匠パネル６の角部６ｂを残し、意匠パネル６の天面の背面側の一部を矩形状に切り欠いて形成されている。そのため、切欠部６ａが形成された意匠パネル６の天面の背面側は、切欠部６ａにより空間が形成され、上面視Ｌ字状となっている。切欠部６ａの形状は、段部１ａの天面部１ａ−２の形状に対応させて形成されている。
【００４２】
図７及び図８に示すように、基台１に意匠パネル６が取り付けられると、意匠パネル６の切欠部６ａに基台１の段部１ａが収まるようになっている。つまり、基台１の段部１ａの天面部１ａ−２が、意匠パネル６の切欠部６ａを介して露出する。そのため、基台１の段部１ａの天面部１ａ−２と、意匠パネル６の天面に位置する部分とによって、本体２０の天面が構成されることになる。また、意匠パネル６の角部６ｂが、基台１の角部１ｂを覆うことになる。
【００４３】
また、壁部１ａ−１の高さは、意匠パネル６の厚み程度となっているため、基台１の段部１ａの天面部１ａ−２と、意匠パネル６の天面に位置する部分とによって、本体２０の天面がフラットになる。さらに、意匠パネル６の角部６ｂが基台１の角部１ｂを覆うため、意匠パネル６のみによって本体２０の側面を構成することが可能になる。したがって、本体２０の側面が１つの部材で構成されることになり、意匠性が向上することになる。
【００４４】
また、図８に示すように、基台１の角部１ｂの角度（第１角度）と、意匠パネル６の角部６ｂの角度（第２角度）と、は異なっているため、基台１に意匠パネル６が取り付けられると、基台１の角部１ｂの外周側と意匠パネル６の角部６ｂの内周側との間にスペース１１が形成される。
ここで、基台１の角部１ｂの角度とは基台１の角部１ｂの外周側の角度を意味し、意匠パネル６の角部６ｂの角度とは意匠パネル６の角部６ｂの内周側の角度を意味している。
また、図８に示すように、基台１の角部１ｂ及び意匠パネル６の角部６ｂは、湾曲して形成されていることが多く、この場合は、基台１の角部１ｂの曲率と、意匠パネル６の角部６ｂの曲率と、それぞれ言い換えるものとする。
【００４５】
したがって、意匠パネル６の角部６ｂの角度（曲率）は、基台１の角部１ｂの角度（曲率）と同じであることを下限値として、許容可能なスペース１１が形成されることを上限値として、意匠パネル６の形状を変更することが可能になる。換言すれば、この範囲内において、意匠パネル６は自在にデザインを変更することができることになる。
なお、図９及び図１１に示すように、角部１ｂ及び角部６ｂの双方が一緒に湾曲している必要はない。
【００４６】
なお、図７及び図８では、基台１の天面について図示しているが、段部１ａ及び切欠部６ａを基台１の下面に設けてもよいし、基台１の天面及び下面の双方に設けてもよい。また、図６では、本体２０の左右側面の双方に段部１ａ及び切欠部６ａを形成した例を示しているが、少なくとも１つの側面に段部１ａ及び切欠部６ａが形成されていればよい。さらに、段部１ａの高さを意匠パネル６の厚み程度とした場合を例に説明したが、厳密に一致している必要はない。
【００４７】
図９は、室内ユニット１００の基台１に取り付けられる意匠パネル６のバリエーションの１つを概略的に示した断面図である。図１０は、室内ユニット１００の基台１に取り付けられる意匠パネル６のバリエーションの他の１つを概略的に示した断面図である。図１１は、室内ユニット１００の基台１に取り付けられる意匠パネル６のバリエーションの更に他の１つを概略的に示した断面図である。図９〜図１１に基づいて、意匠パネル６のバリエーションについて説明する。なお、図９〜図１１は、基台１に意匠パネル６を取り付けた状態における縦断面構成を概略的に示している。
【００４８】
図９〜図１１に示すように、基台１の構成に変化はない。
それに対し、図９〜図１１に示すように、意匠パネル６の構成は変化している。図９では意匠パネル６−１として図示し、図１０では意匠パネル６−２として図示し、図１１では意匠パネル６−３として図示し、意匠パネル６の構成の変化を表している。また、それぞれの角部を、角部６ｂ−１、角部６ｂ−２、角部６ｂ−３として図示している。なお、意匠パネル６の切欠部６ａについては変化していない。
【００４９】
例えば、図９に示すように、意匠パネル６−１は、平面を連続させることで角部６ｂ−１を構成するようにしている。このような角部６ｂ−１としても、基台１に意匠パネル６−１を取り付けることができる。
また、図１０に示すように、意匠パネル６−２は、曲率をほぼ同じとして曲面で角部６ｂ−２を構成するようにしている。このような角部６ｂ−２としても、基台１に意匠パネル６−２を取り付けることができる。
さらに、図１１に示すように、意匠パネル６−３は、断面視した状態の角度をほぼ直角とすることで角部６ｂ−３を構成するようにしている。このような角部６ｂ−３としても、基台１に意匠パネル６−３を取り付けることができる。
【００５０】
図９〜図１１に示すように、基台１の構成を変化することなく、意匠パネル６は自在にデザインを変更することが可能になっている。したがって、室内ユニット１００では、形状が異なる複数の意匠パネル６の中から、所望のデザインの意匠パネル６を選択して取り付けることが可能になる。つまり、室内ユニット１００によれば、形状の異なる複数の意匠パネル６を任意に選択することができ、多様なシリーズデザインに対応することができる。
【００５１】
なお、形状の異なる複数の意匠パネル６には、形状の変化だけでなく、材質、色、模様、質感などのデザインの変化も含まれるものとし、それぞれのバリエーションの意匠パネル６が任意に選択可能になっている。また、形状の異なる複数の意匠パネル６の予め用意しておく必要はなく、必要に応じて、その都度、バリエーションの異なる意匠パネル６を設計してもよい。
【００５２】
次に、意匠パネル６の基台１への取り付け手順の一例について説明する。図１２は、室内ユニット１００の基台１と意匠パネル６の天面部における取り付け状態の一例を概略的に示す断面図である。図１３は、室内ユニット１００の基台１と意匠パネル６の下面部における取り付け状態の一例を概略的に示す断面図である。図１２及び図１３に基づいて、意匠パネル６の基台１への取り付けについて説明する。
【００５３】
図１２に示すように、基台１の天面部の一部には突起部１Ａが、本体２０の内側に向かって突出するように形成されている。また、図１２に示すように、意匠パネル６の天面部の一部には凹部６Ａが、突起部１Ａが係合可能なように袋状に形成されている。
図１３に示すように、基台１の下面部の一部には係合部１Ｂが、基台１の背面側に向かって突出するように形成されている。また、図１３に示すように、意匠パネル６の下面部の一部には爪部６Ｂが、係合部１Ｂに係合可能なように形成されている。
【００５４】
まず、意匠パネル６に設けられた凹部６Ａに、基台１に設けられた突起部１Ａが入り込むことで、天面部において意匠パネル６が基台１に係合される。天面部において意匠パネル６が基台１に係合されると、係合部分（突起部１Ａ及び凹部６Ａ）を支点として、意匠パネル６が回転可能になる。そして、意匠パネル６が回転動作をしながら、下面部において意匠パネル６の爪部６Ｂが基台１の係合部１Ｂに係合することになる。このようにして、意匠パネル６が基台１に取り付けられることになる。最終的には、意匠パネル６と基台１とはネジ等の締結部材を用いて固定される。
【００５５】
なお、図１２及び図１３では、突起部１Ａと凹部６Ａ、係合部１Ｂと爪部６Ｂを用いて、意匠パネル６を基台１に取り付ける場合を例に説明したが、意匠パネル６の基台１への取り付け方を特に限定するものではなく、他の取り付け構造であってもよい。
【００５６】
以上のように、室内ユニット１００は、本体２０の背面及び天面の一部を構成する基台１と、基台１の左右の少なくとも一方に着脱自在に取り付けられ、本体２０の天面の一部、下面の一部、及び、側面を構成する意匠パネル６と、を備え、基台１は、基台１の天面と側面及び下面と側面とを接続する角部１ｂと、基台の天面及び下面の少なくとも一つに形成された段部１ａと、を有し、意匠パネル６は、意匠パネル６の天面と側面及び下面と側面とを接続する角部６ｂと、意匠パネル６の天面及び下面の少なくとも一つに形成された切欠部６ａと、を有し、意匠パネル６が基台１に取り付けられると、切欠部６ａを介して段部１ａの天面部１ａ−２が露出して、天面部１ａ―２及び意匠パネル６により本体２０の天面が構成され、角部６ｂが角部１ｂを覆って、意匠パネル６により本体２０の側面が構成されるようになっており、意匠パネル６は、形状の異なる複数の意匠パネル６の中から選択されたものが基台１に取り付け可能に構成されているものである。
【００５７】
したがって、室内ユニット１００によれば、本体２０の側面が１つの意匠パネル６で構成されることになるため、意匠性が向上する。加えて、室内ユニット１００によれば、基台１の構成を変えることなく、意匠パネル６の形状が異なる多様なシリーズデザインに容易に対応することが可能になる。
【００５８】
室内ユニット１００は、角部６ｂは、角部１ｂの角度又は曲率と同じであることを下限値として、角部１ｂの外周側と角部６ｂの内周側との間に許容可能なスペース１１が形成される範囲で、変更可能になっている。
そのため、多様なバリエーションの意匠パネル６を用意しておくことができ、その中から任意に選択された意匠パネル６を容易に基台１に取り付けることが可能になる。
【００５９】
室内ユニット１００は、意匠パネル６が基台１に取り付けられると、天面部１ａ―２と意匠パネル６とで形成される本体２０の天面が平坦になるため、本体２０の天面の意匠性も向上することになる。
【００６０】
空気調和機Ａは、室内ユニット１００と、室内ユニット１００に接続された室外ユニット５０と、を備えたものであるので、室内ユニット１００が奏する効果を全部有することになる。
【００６１】
上記の説明では、居室の壁面に設置される室内ユニット１００を例に本発明を説明したが、これに限定するものではなく、他の構造の室内ユニット（例えば床置き型の室内ユニット）にも本発明を適用することはできる。
【符号の説明】
【００６２】
１  基台、１Ａ  突起部、１Ｂ  係合部、１ａ  段部、１ａ−１  壁部、１ａ−２  天面部、１ｂ  角部（第１角部）、２  室内熱交換器、３  室内送風ファン、４  フィルターユニット、４ａ  フィルター、５  吹出口、６  意匠パネル、６−１  意匠パネル、６−２  意匠パネル、６−３  意匠パネル、６Ａ  凹部、６Ｂ  爪部、６ａ  切欠部、６ｂ  角部（第２角部）、６ｂ−１  角部（第２角部）、６ｂ−２  角部（第２角部）、６ｂ−３  角部（第２角部）、７  フロントパネル、８  上下風向調整板、９  吸込口、１０  ドレンパン、１１  スペース、１５  風路、２０  本体、５０  室外ユニット、５１  圧縮機、５２  四方切換弁、５３  室外熱交換器、５４  膨張弁、５５  室外送風機、５６  ガス側連絡配管、５７  液側連絡配管、６０  冷媒回路、１００  室内ユニット、Ａ  空気調和機。
【図１】
0006719658.tif 000002
【図２】
0006719658.tif 000003
【図３】
0006719658.tif 000004
【図４】
0006719658.tif 000005
【図５】
0006719658.tif 000006
【図６】
0006719658.tif 000007
【図７】
0006719658.tif 000008
【図８】
0006719658.tif 000009
【図９】
0006719658.tif 000010
【図１０】
0006719658.tif 000011
【図１１】
0006719658.tif 000012
【図１２】
0006719658.tif 000013
【図１３】
0006719658.tif 000014